Podtech/llm-jp-corpus-v4-ja_patent huggingface dataset:
(57)【要約】【課題】取っ手及びハンドルの握り部に指との接触面を少なくした取っ手及びハンドルを提供する。【解決手段】取っ手及びハンドルの指と接触する面に帯状の突起部材を設ける事により指との接触面は帯状の僅かな面と接触するだけで、従来の取っ手と比べると極端に少なくなる事を特徴とする衛生取っ手。【選択図】図５
2009180075.tif 000002
【特許請求の範囲】
【請求項１】
取っ手及びハンドルの握り部に、指との接触面を少なくすべく帯状の突起部材を設けた事を特徴とする衛生取っ手。
【発明の詳細な説明】
【技術分野】
【０００１】本発明は、扉、ドアー等の取って握り部に指との接触面を少なくする突起部材を設けた取っ手に関するものである。
【背景技術】
【０００２】従来、取っ手、ハンドルの握り部に、指と接触する面を少なくす取ってはなかった。
【発明の開示】
【発明が解決小とする課題】
【０００３】そのために、次のような問題点があった。
（イ）大勢の人の利用する病院等の扉、引き戸の取っては衛生上問題点があった。
本発明は、これらの問題点を解決するためになされたものである。
【課題を解決するための手段】
【０００４】取っ手及びハンドルの指と接触する面に、帯状の突起部材を設ける事により指との接触する面は帯状の僅かな面と接触するだけで従来の取っ手と比較すると極端に少ない。以上を特徴とする衛生取っ手。
【発明の効果】
【０００５】取って及びハンドルの握り部と指との接触面が従来より極端に少なくなり病院等大勢の人が利用する場所で大変衛生的である。
【発明を実施するための最良の形態】
【０００６】以下、本発明の実施の形態について説明する。
（イ）取っ手及びハンドルの握り部に帯状の突起部材を設ける。
（ロ）図１は片開き及び両開き用の取っ手の内側に帯状の突起部材を設けた側面図。
（ハ）図４は引き戸用の取っ手の左右に帯状の突起部材を設けた正面図。
本発明は、以上のような構成で、これを使用するときは、帯状の突起部材に指を当て使用する。指と取っ手の接触面が極めて少なくなり、大変衛生的な取っ手ハンドルを提供できる。
【実施例】
【０００７】図５に示すように、指が突起部材の僅かな面と接触するだけで大変衛生的出ある。
【図面の簡単な説明】
【０００８】
【図１】本発明の、片開、両開き用の取っ手の側面図。
【図２】本発明の、片開、両開き用の取っ手の正面図。
【図３】本発明の、引き戸用取っ手の側面図。
【図４】本発明の、引き戸用取っ手の正面図。
【図５】本発明の、取っ手に指が接触している状態を示す平面図。
【符号説明】
【０００９】１  取っ手
２  突起部
【図１】
2009180075.tif 000003
【図２】
2009180075.tif 000004
【図３】
2009180075.tif 000005
【図４】
2009180075.tif 000006
【図５】
2009180075.tif 000007
(57)【要約】【課題】従来の複合素材を利用した住宅用耐制震装置は、耐震素材の剛性伸び率に拘束されるため、地震の揺れエネルギー吸収を最大限出来なかった。【解決手段】中程度以上の地震の揺れ応力が加わった場合に、耐震用弾性体を破断するように設計し、破断ご耐震用剛性伸び率の低い弾性体に拘束されず、粘弾性体が揺れエネルギーを最大限変移し吸収する。【選択図】図２
2009180076.tif 000002
【特許請求の範囲】
【請求項１】
住宅用耐制震装置に使用される弾性体や粘弾性体等を複合的に使用し、耐震機能から制震機能移行させるために、中規模以上の地震の揺れ応力が加わった場合に耐震用の弾性体が破断し、複合設置されている地震の揺れエネルギー吸収用粘弾性体等に機能移行する仕組み。
【請求項２】
上記仕組みを組み込んだ住宅用耐制震装置。
【請求項３】
上記仕組みを組み込んだ住宅用耐制震装置を設置した住宅用壁。
【請求項４】
上記を利用した工法。
【請求項５】
上記装置を組み入れた住宅。
【発明の詳細な説明】
【技術分野】
【０００１】  本発明は、住宅に於ける耐震から制震への機能移行手段に関する。
【技術背景】
【０００２】  先に出願された住宅用耐制震装置（特願２００７−２９３７１５）は、図１の様に２枚の金属プレート間に木材と同じ強度を持つ耐震用弾性体と、揺れエネルギーを吸収する弾性体を併置し、中程度の地震には耐震用弾性体の剛性により摺動せず耐震性を保持し大規模地震の揺れには粘弾性体が機能しプレートが摺動揺れエネルギーを吸収するシステムである。
【０００３】  揺れエネルギー吸収は変移量に比例するため、耐震用の剛性の高い弾性体はエネルギー吸収用の粘弾性体に比べ伸び率は低くく変移量も少なくなる。従って、弾性体と粘弾性体等の複合素材併置の場合は、剛性が高く伸び率が低い部材に拘束され揺れネルギー吸収能力は低下してしまう。
【発明の開示】
【発明が解決しようとする課題】
【０００４】  以上の様に、上記発明（特願２００７−２９３７１５）は、住宅用地震工法としては耐震機能と制震機能を兼ね備えた優れた発明であるが、耐震機能と制震機能の同時作用では効果が相殺されてしまう。本発明は、耐震から制震へ機能移行させるためにの解決手段である。
【課題を解決するための手段】
【０００５】  上記解決手段は、耐震用弾性体を中程度以上の地震の揺れ応力が加わった時に破断し、大規模な揺れエネルギーを吸収する為の伸び率の高く変移量の高い粘弾性体等にスムーズに機能移行し最大限の性能を発揮させる。【０００６】  また、現在の弾性体（ゴム）の合成技術では、硬度、伸び率などを調整製造することは容易である。
【発明の効果】
【０００７】  以下、発明の効果を図１と図２に基づいて説明する。【０００８】  図１に於いては、▲１▼の金属プレート間に▲２▼の弾性体と▲３▼粘弾性体が設置され、中規模程度の地震では、▲２▼の弾性体の剛性により摺動移動せず耐震性を保持する。【０００９】  図２では、大規模地震の大きい揺れ応力が加わると摺動移動し、伸び率を低く設計された弾性体は破断し、粘弾性体が摺動移動し揺れエネルギーを最大限吸収する。
【産業上の利用可能性】  上述したように本発明は、理想的な住宅用地震工法である耐制震工法を効果的に実現できる手段発明である。
【図面の簡単な説明】
【００１０】
【図１】  弾性体の剛性が作用し摺動変形してない耐制震装置断面図
【図２】  大規模地震時に弾性体が破断し摺動変形し揺れエネルギーを吸収している耐制震装置断面図
【符号の説明】
【００１１】  ▲１▼金属プレート
▲２▼弾性体
▲３▼粘弾性体
【図１】
2009180076.tif 000003
【図２】
2009180076.tif 000004
(57)【要約】 【課題】      本発明は、流し台シンクのゴミ受に溜まった野菜くずなどのゴミにより、シンクに溜まった水が抜けるのに時間が掛かっていたものを、ゴミ受に空気取入れ穴を付けることによりシンクに水を溜まらなくするものである。【解決手段】  本発明は、従来の流し台シンクのゴミ受に野菜くずなどのゴミの侵入を防ぐメッシュカバーをした空気取入れ穴を付けることにより、穴が詰まることもなく大量に空気が取入れられるため、一度に多量の水を流してもシンクに水が溜まることもない。【選択図】      図２
2009019381.tif 000002
【特許請求の範囲】
【請求項１】
流し台シンクに溜まった水を素早く流すため、シンクのゴミ受に空気取入れ用の穴を付け、その穴に野菜くずなどのゴミが入って詰らないようにメッシュカバーを付けたことを特徴とする流し台シンクのゴミ受装置。
【発明の詳細な説明】
【技術分野】
【０００１】
本発明は、流し台シンクのゴミ受に野菜くずなどのゴミが溜まっても、シンクの中に溜まった水を素早く流すための装置に関するものである。
【背景技術】
【０００２】
ゴミ受に野菜くずなどのゴミが溜まると水抜けが悪くなるので、その都度ゴミ受を掃除したり、一度に多量の水を流さないよう少しずつ流してシンクに水が溜まらないようにしていた。
【発明の開示】
【発明が解決しようとする課題】
【０００３】
従来の流し台シンクのゴミ受はシンクの穴にピッタリとはまっており、ゴミ受にゴミが溜まったまま一度に多量の水を流すと空気の取入れが悪くなり、シンクに溜まった水が抜けるのに時間が掛かっていた。
【課題を解決するための手段】
【０００４】
本発明は、流し台シンクの中に溜まった水を素早く流すため、シンクのゴミ受に空気取入れ用の穴を付け、その穴に野菜くずなどのゴミが入って詰らないようにメッシュカバーを付けたゴミ受にすることにより、上記課題を解決するものである。
【発明の効果】
【０００５】
上述のように、本発明は野菜くずなどのゴミの侵入を防ぐメッシュカバーをした空気取入れ穴を付けることにより、空気取入れ穴に付けたメッシュカバーにより穴が詰まることもなく大量に空気が取入れられるため、一度に多量の水を流しても空気の取入れが良く水抜けがスムーズになりシンクに水が溜まることもない。
【発明を実施するための最良の形態】
【０００６】
本発明のゴミ受装置本体に野菜くずなどのゴミが溜まっても、図１に示す空気取入れ穴により空気を取入れるため、水抜けが良くなりシンクに水が溜まることがなくなる。又、空気取入れ穴に野菜くずなどのゴミの侵入を防ぐメッシュカバーを付けることにより、空気取入れ穴から排水口にゴミが流れ出るのを防ぐこともできる。
【図面の簡単な説明】
【０００７】
【図１】本発明の空気取入れ穴付流し台シンクのゴミ受装置の正面図である。
【図２】本発明の空気取入れ穴付流し台シンクのゴミ受装置の断面図である。
【符号の説明】
【０００８】
１  ゴミ受装置本体
２  ゴミ受装置本体の水抜きメッシュ
３  空気取入れ穴
４  野菜くずなどゴミの侵入を防ぐメッシュカバー
【図１】
2009019381.tif 000003
【図２】
2009019381.tif 000004
(57)【要約】【課題】  本発明は恋人同士が一つの手袋の中において素手で手をつなぐことを目的とした手袋に関するものである。これまで冬季に恋人同士が手袋をして手をつなぐ時は、双方が手袋をしたままで手をつながざるを得ず不便であった。そこで手をつないだ状態で手袋を接着し、中を中空にすることで、素手で手をつなぐ事ができる手袋を提供する。【解決手段】  外見は指を交差させて手をつないだ状態で密着させた一つの手袋で、構造は手を入れる入口部分を二つ設け、掌および交差する指の部分は袋状とし、指は分かれている手袋。【選択図】図１
2009019318.tif 000002
【特許請求の範囲】
【請求項１】
外見は指を交差させて手をつないだ状態で密着した一つの手袋で、構造は手を入れる入口部分を二つ設け、掌および交差する指の部分は袋状とし、指は分かれている手袋。
【発明の詳細な説明】
【技術分野】
【０００１】  本発明は恋人同士が一つの手袋の中において、素手で手をつなぐことができるようにした手袋に関するものである。
【背景技術】
【０００２】  従来、冬季に恋人同士が手袋をして手をつなぐ時は、素手で手をつなぐことができず不便であった。
【発明の開示】
【発明が解決しようとする課題】
【０００３】  従来の手袋は、次のような問題点があった。
（イ）冬季に恋人同士が手袋をして手をつなぐ時は、素手で手をつなぐことができなかっ      た。
（ロ）二人用の手袋は指がついていない筒状のものなどが考案されているが、不便なため      商品化されたものはない。
本発明は、以上の問題点を解決したものである。
【課題を解決するための手段】
【０００４】  外見は指を交差させて手をつないだ状態で密着した一つの手袋で、構造は手を入れる入口部分を二つ設け、掌および交差する指の部分は袋状とし、指は分かれている。
本発明は、以上のような構成からなる手袋である。
【発明の効果】
【０００５】  恋人同士は、見た目には男女双方が手袋をつけた状態で手をつないでいるように見えるが、実際には一つの手袋に手を入れ素手で手をつなぐことができる。
【発明を実施するための最良の形態】
【０００６】  以下、本発明の実施の形態について説明する。
（イ）男性用手袋の右手と女性用手袋の左手の指が交差する状態でつなぎ合う形状にする      。
（ロ）密着する掌および交差する指の部分は袋状となるように一つの手袋を作成する。
本発明は以上の構成からなる手袋である。
以下、使用方法について説明する。
隣り合った左右の左側の人は右手（１２）を２から１１および各指に、右側の人は左手（１３）を１から１１および各指にそれぞれ入れる。
【図面の簡単な説明】
【０００７】
【図１】本発明の正面図
【図２】本発明の縦断面図
【符号の説明】
【０００８】  １は女性用の入口
２は男性用の入口
３は女性用の親指
４は女性用の人差し指
５は女性用の中指
６は女性用の薬指
７は女性用の小指
８は男性用の親指
９は男性用の人差し指
１０は男性用の中指
１１は袋状
１２は男性の手
１３は女性の手
１４はつなぎ目
【図１】
2009019318.tif 000003
【図２】
2009019318.tif 000004
(57)【要約】【課題】今日の生活で避けることのできない長時間の靴の着用によって起こる足指に係わる不快な状態、例えば、指の間のムレ、悪臭の発生、足指の変形等の緩和、あわせて、水虫予防の一助となる靴下を提供する。【解決手段】吸湿性に優れ、防臭加工を施した綿等の素材を用い、親指と、小指以外の３本の指（１）を持つ靴下（２）を作り、全部の指を互いに隔離する。【選択図】図２
2009019317.tif 000002
【特許請求の範囲】
【請求項１】
３本の指を持つことを特徴とする靴下
【発明の詳細な説明】
【産業上の利用分野】
【０００１】この発明は、今日の生活で避けることのできない長時間の靴の着用によって起こる足の不快な状態、例えば、指の間のムレ、悪臭の発生、スポーツ時の発汗によるジメジメ、あるいは、ファッション優先の靴の着用による足指の変形等を緩和することを主たる目的とした靴下に関するものであり、水虫の予防用品、スポーツ関連用品、美容補助用品等としての利用が可能である。
【背景技術】
【０００２】この種のものとして、５本指の靴下が考案されている。着用してみると、非常に快適であるが、履く時に履きずらい事、見た目に違和感があるなど、改善が待たれる。
【発明が解決しようとする課題】
【０００３】今日の生活で避けることのできない長時間の靴の着用によって起こる足の不快な状態の緩和。
【課題を解決するための手段】
【０００４】吸湿性に優れ、防臭加工を施した素材を用い、親指と、小指を除く３本の指を持つ靴下を作り、全部の指を互いに隔離する。
【発明を実施するための最良の形態】
【０００５】本発明の実施の一例について説明する。
吸湿性に優れ、防臭加工を施した綿等の素材を用い、親指と、小指以外の３本の指（１）を持つ靴下（２）を作る。また、かかと部分（３）も取り除くとともに、底の浅い（４）サポーター状の形態とすることも考えられる。
【発明の効果】
【０００６】１．長時間の靴の着用によって起こる足指間のムレや悪臭の発生を緩和する事ができる。
２．スポーツ時等、足指間の発汗を吸収することができる。
３．長時間の靴の着用による足指の変形を押さえることができる。
４．装着し易い。
【図面の簡単な説明】
【図１】本発明の（内）側面の図である。（着色部分）
【図２】本発明の上面の図である。（着色部分）
【図３】本発明の下面の図である。（着色部分）
【符号の説明】
（１）３本の指
（２）靴下
（３）かかと部分
（４）底の浅い
【図１】
2009019317.tif 000003
【図２】
2009019317.tif 000004
【図３】
2009019317.tif 000005
(57)【要約】【課題】  炊事や食器洗浄時に着用するための、容易に着脱できる挟持具付きエプロンを提供する。【解決手段】エプロンの上両端部と肩紐の両先端にスナップボタンを設け、エプロンと肩紐は左右どちらからでも取り外し可能とし、エプロンの腰両脇部にループを設け、ループに係着可能な着脱具を設けた鎖状体を有する挟持具を装着し、挟持具が着衣に容易に着脱可能なことを特徴とするエプロン。【選択図】図１
2009019319.tif 000002
【特許請求の範囲】
【請求項１】
エプロンの腰両脇部にループを設け、鎖状体の一端に挟持具を設け、他端に着脱具を設け、エプロンに設けたループに着脱具を開閉し、接続することを特徴とする挟持具つきエプロン。
【請求項２】
エプロンの上端中央部に半円形の吊り紐を設け、エプロン裏面上部両端にスナップボタン凹型を設け、肩紐両端にスナップボタン凸型を設け、エプロンと肩紐を着脱可能とすることを特徴とする請求項１に記載のエプロン。
【発明の詳細な説明】
【技術分野】
【０００１】  本発明は、炊事や食器洗浄時に着用するための挟持具付きエプロンに関するものである。
【背景技術】
【０００２】  従来、炊事や食器洗浄時に着用するエプロンは、紐付きで結ぶ形態の物や割烹着式のものが多かった。
【発明の開示】
【発明が解決しようとする課題】
【０００３】  そのために次のような問題点があった。  紐で結ぶ形態のエプロンは、結び外しに手間取り、割烹着式は、袖に手を出し入れする際に煩わしさがあり、又、着用する人の体型により大きさも選ばなければならなかった。本発明は、以上の問題点を解決するためになされたものである。
【課題を解決するための手段】
【０００４】  エプロンの腰両脇部にループを設け、鎖状体の一端に挟持具を設け、他端にループに接続できる形態の着脱具を設け、着脱具を開閉し、エプロンに設けたループに着脱具を接続し、エプロンと挟持具を係脱可能とし、エプロン裏面上部両端にスナップボタン凹型を設け、肩紐両端にスナップボタン凸型を設け、エプロンと肩紐はスナップボタンを介して係脱可能にすることを特徴とするエプロン。
【発明の効果】
【０００５】  エプロンに肩紐を接続した状態で頭から被り、脱ぐ時は両端に設けたスナップボタンを利き手で片一方を左右どちらからでも手早く外すことが出来る為、髪型を乱すことがない。又、挟持具を着衣に挟むことでエプロンの着脱が容易に出来るため急な時の取外しに慌てることもなく、軽量で煩わしさがない。また、エプロンを洗濯する際、着脱具を開閉することで鎖部が一連になって取り外すことが出来るため、鎖部や挟持具の破損が少ない。又、片紐もエプロンから取り外せるためエプロンのみが容易に手洗いでき、又、いかなる体型でも着用できる。使用後はエプロンの上側中央部に設けた半円形の紐をフック等に吊るすことが出来る。
【発明を実施するための最良の形態】
【０００６】  以下、本発明の実施の形態を説明する。  （イ）エプロン（１）の腰両脇部にループ（２）を設ける。  （ロ）鎖状体（３）の一端に挟持具（４）を設け、他端に着脱具（５）を設け、着脱具（５）をループ（２）に係着する。  （ハ）エプロン（１）の裏面上部両端にスナップボタン凹型（６）を設け、肩紐（７）両端にスナップボタン凸型（８）を設け、エプロン（１）と肩紐（７）は取り外し可能とする。  （ニ）エプロン（１）の上側中央部に半円形の吊り紐（９）を設ける。  本発明は、以上の構成よりなっている。本発明を使用するときは、肩紐（７）をエプロン（１）に係着したまま頭から被り、エプロン（１）に設けたループ（２）に係着された着脱具（５）と鎖状体（３）で一連となった挟持具（４）を着衣の左右腰部に挟む。
【図面の簡単な説明】
【０００７】
【図１】本発明の斜視図
【図２】本発明の肩紐、ループ、着脱具、鎖状体、挟持具の斜視図
【図３】本発明の使用状態を示す斜視図
【符号の説明】
【０００８】    １  エプロン    ２  ループ    ３  鎖状体    ４  挟持具    ５  着脱具    ６  スナップボタン凹型    ７  肩紐    ８  スナップボタン凸型    ９  吊り紐
【図１】
2009019319.tif 000003
【図２】
2009019319.tif 000004
【図３】
2009019319.tif 000005